(57)【特許請求の範囲】
【請求項１】
釣り用リールを部分的に保護するために前記釣り用リールの突出部に着脱自在に装着される弾性体製の釣り用リールの保護カバーであって、
前記保護カバーは、前記突出部を覆うように、複数の棒状部材を網目状に配置して構成され、
前記棒状部材と一体に形成され、前記釣り用リールに係止できる弾性体製のベルトを有する
ことを特徴とする釣り用リールの保護カバー。
【請求項２】
前記弾性体は、クロロプレンゴム、ブチレンゴム、スチレンゴム、ウレタンゴム、及びシリコンゴムからなる群のいずれか一つの合成樹脂弾性体である
ことを特徴とする請求項１に記載の釣り用リールの保護カバー。
【請求項３】
前記合成樹脂弾性体は、透光性を有しているものである
ことを特徴とする請求項２に記載の釣り用リールの保護カバー。
【発明の詳細な説明】
【０００１】
【発明の属する技術分野】
本発明は、釣り用リールの保護カバーに関する。
【０００２】
【従来の技術】
スピニングリールや両軸受リール等の釣り用リールは、波消しブロックや波止場や岩場などの比較的表面が硬い場所で使用されることがある。このような場所で釣り用リールを使用するとき、餌や仕掛けを交換するなどの何らかの理由で釣り用リールを置くと、釣り用リールの突出部分などが傷つくことがある。このため、釣り用リールの突出部分などの傷つきやすい箇所は、部品自体に頑強で傷つきにくい硬質な素材を使用したり、その部分を硬質な金属でカバーしたりしている。たとえば、スピニングリールのリール本体の後端部やロータアームの根元部分などにステンレス製のカバー部材をねじ止めしたものがある。
【０００３】
【発明が解決しようとする課題】
しかしながら、このような硬質な素材を使用したり硬質な金属でカバーしたりしても、前述したような釣り場の表面が硬いと、リールに無数の傷がつくおそれがある。特に高価なリールを購入したユーザにとってこのような傷がつくのは心許ない。これを防止するために、たとえばシリコンゴム等の弾性体製のカバー部材をリール全体に装着することが従来行われている。しかし、このようなカバー部材をリール全体に装着すると、複雑な形状の釣り用リールの場合、保護カバーの着脱が煩わしくまたリールの意匠性も損なわれやすい。
【０００４】
本発明の課題は、着脱が容易でリールの意匠性が損なわれにくいリール保護カバーを提供することにある。
【０００５】
【課題を解決するための手段】
発明１に係る釣り用リールの保護カバーは、釣り用リールを部分的に保護するために釣り用リールの突出部に着脱自在に装着される弾性体製のものである。前記保護カバーは、前記突出部を覆うように、複数の棒状部材を網目状に配置して構成され前記棒状部材と一体に形成され、前記釣り用リールに係止できる弾性体製のベルトを有することを特徴とする。
この保護カバーでは、釣り用リールを部分的に保護しているだけであるので、カバーの着脱は容易でありかつ釣り用リールの意匠性も損なわれにくい。しかも、弾性体製であるので、面ファスナーなどの特別な係止手段を設けなくても弾性だけを利用して突出部に装着することができる。
【０００６】
発明２に係る釣り用リールの保護カバーは、発明１に記載のカバーにおいて、弾性体は、クロロプレンゴム、ブチレンゴム、スチレンゴム、ウレタンゴム、及びシリコンゴムからなる群のいずれか一つの合成樹脂弾性体であることを特徴とする。
この場合には、比較的軟質で伸びやすい合成樹脂弾性体を用いているので、保護カバーを装着するとリールを落下させたときなどに衝撃を吸収することができ、釣り用リールをより保護することができる。また、伸びが大きくサイズに余裕持たせることができるので、１つのパーツで複数のサイズのリールに使用できる。
【０００７】
発明３に係る釣り用リールの保護カバーは、発明２に記載のカバーにおいて、合成樹脂弾性体は透光性を有しているものであることを特徴とする。
この場合にはカバーから透けてリールの保護部分が見えるのでリール自体の意匠性がより損なわれにくい。しかも透光性を有する保護カバーにより新規の意匠性を得ることができる。発明４に係る釣り用リールの保護カバーは、発明１から３のいずれかに記載のカバーにおいて、釣り用リールの突出部を覆う棒状部材を格子状に配置して構成される。この場合には、棒状部材により保護カバーが網目状に構成されるため、新規な意匠性が得られるとともに、棒状部材の２方向の弾性により保護カバーをよりリールに強固に装着できる。
【０００９】
【発明の実施の形態】
図１において、本発明の一実施形態により保護カバー２０，２５が装着されたスピニングリールは、ハンドル１を有し釣り竿に装着されるリール本体２と、リール本体１の前方に配置されたロータ３と、ロータ３の前方に配置されたスプール４とを備えている。ロータ３は、リール本体２に回転自在に装着されている。スプール４は、リール本体２に前後移動自在に装着されている。
【００１０】
リール本体２は、リールボディ２ａと、リールボディ２ａの図１上方に延びる概ねＴ状の竿装着部２ｂとを有している。リールボディ２ａの内部には、ハンドル１の回転をロータ３に伝達するための回転伝達機構（図示せず）やハンドル１のロータ３の回転に同期してスプール４を前後移動させるためのオシレーティング機構（図示せず）が設けられている。リールボディ２ａの後端下部は、オシレーティング機構を収納するために後方に突出する突出部となっている。この突出部には、プレス成形された硬質金属製のカバープレート１０が装着されている。
【００１１】
ロータ３は、リール本体２に回転自在に装着された円筒部３０と、円筒部の後端部（図１左側部）に円筒部３０と一体で形成された１対のロータアーム３１，３２とを有している。ロータアーム３１，３２は、対向して配置されており、リールの前方に向かって延びている。１対のロータアーム３１，３２の先端にはベールアーム３４が揺動自在に装着されている。ベールアーム３４は、図１に示す糸案内姿勢とそれから紙面手前側に揺動する糸解放姿勢との間で揺動自在にロータアーム３１，３２に装着されている。ベールアーム３４は、その先端の釣り糸案内部で釣り糸をスプール４に案内する。ロータアーム３１の基端部には、ロータ３の糸巻取方向の回転に連動して糸解放姿勢のベールアーム３４を糸巻取姿勢に復帰させるためのベール反転機構３５が装着されている。このベール反転機構３５が装着されたロータアーム３１の基端部にも突出部が形成されている。
【００１２】
スプール４は、外周に釣り糸が巻き付けられる鍔付き円筒状の部材である。スプール４は、ロータ３の回転に同期して前後移動し、ベールアーム３４により案内された釣り糸を外周面に略均一に巻き取る。
リールボディ２ａの突出部及びロータアーム３１，３２の突出部には、保護カバー２０，２５が着脱自在に装着されている。保護カバー２０，２５は、スピニングリールを部分的に保護するためにスピニングリールの突出部に着脱自在に装着される弾性体製のものである。この保護カバー２０，２５では、スピニングリールを部分的に保護しているだけであるので、保護カバー２０，２５の着脱は容易でありかつスピニングリールの意匠性も損なわれにくい。しかも、弾性体製であるので、面ファスナーなどの特別な係止手段を設けなくても弾性だけを利用して突出部に装着することができる。
【００１３】
保護カバー２０，２５に用いられる弾性体は、クロロプレンゴム、ブチレンゴム、スチレンゴム、ウレタンゴム、及びシリコンゴムからなる群のいずれかひとつの合成樹脂弾性体が好ましい。このような合成樹脂弾性体は、比較的軟質であるので、保護カバー２０，２５を装着するとリールを落下させたときなどに衝撃を吸収することができ、リールをより保護することができる。また、伸びが大きくサイズに余裕持たせることができるので、１つのパーツで複数のサイズのリールに使用できる。
【００１４】
この合成樹脂弾性体は、白色や赤色や青色などの種々の色に着色されていてもよく、また、さらに透光性を有していてもよい。着色されている場合には、保護カバー２０，２５自体で新たな意匠性を得ることができる。また透光性を有している場合には、保護カバー２０，２５から透けてリールの保護部分が見えるのでリール自体の意匠性がより損なわれにくい。しかも透光性を有する保護カバー２０，２５により新規の意匠性を得ることができる。
【００１５】
保護カバー２０，２５は、突出部を覆う棒状部材２０ａ，２５ａを格子状に配置して構成される。このような棒状部材２０ａ，２５ａでカバー部材２０，２５を構成すると、棒状部材２０ａ，２５ａにより保護カバー２０，２５が網目状に構成されるため、新規な意匠性が得られるとともに、棒状部材２０ａ，２５ａの２方向の弾性により保護カバー２０，２５をよりリールに強固に装着できる。
【００１６】
保護カバー２０は、棒状部材２０ａをリールボディ２ａの突出部の形状に合わせて袋状に形成して構成されている。棒状部材２０ａは、リールボディ２ａの突出部の輪郭に沿って格子状に複数本が配置される。また、リールボディ２ａへの装着を確実にしてより外れにくくするために、ベルト部材２０ｂが棒状部材２０ａと一体で形成されている。このベルト部材２０ｂは、棒状部材２０ａと同材質の両端が棒状部材２０ａに連結されたベルト状のものであり、リールボディ２ａと竿装着部２ｂとの前側の境界部分で係止されている。
【００１７】
保護カバー２５は、ロータ３の後部を覆う周方向及び軸方向の２種の棒状部材２５ａで構成されている。この保護カバー２５は、面ファスナーなどの特別な係止手段を設けなくても自身の弾性だけを利用してロータ３に装着されている。
このような保護カバー２０を装着する際には、ベルト部材２０ｂを竿装着部２ｂの前側に通し、格子状の棒状部材２０ａを竿装着部２ｂの前側に配置して棒状部材２０ａを引っ張ってリールボディ２ａの突出部にはめ込む。すると、棒状部材２０ａ及びベルト部材２０ｂの弾性により突出部に沿って保護カバー２０が装着されこの装着部分が保護される。また、保護カバー２５を装着する際には、スプール４の前側から保護カバー２５を拡げた状態で装着しロータ３のロータアーム３１，３２に被せる。これによりロータアーム３１，３２の基端の突出部が部分的に保護される。
【００１８】
ここでは、リールの突出部だけを部分的に保護しているだけであるので、保護カバーの着脱は容易でありかつ釣り用リールの意匠性も損なわれにくい。しかも、弾性体製であるので、面ファスナーなどの特別な係止手段を設けなくても弾性だけを利用して突出部に装着することができる。
〔他の実施形態〕
（ａ） 前記実施形態では、棒状部材を格子状に配置して保護カバーを構成したが、図２に示すようにシート部材を袋状に一体形成して保護カバー４０を構成してもよい。この場合には、シート部材でカバーが構成されるので、突出部全体をシート部材で覆うことができ、突出部分がより傷つきにくくなる。
【００１９】
（ｂ）  前記実施形態では、釣り用リールとしてスピニングリールを例に説明したが、両軸受リールや片軸受リール等の他の釣り用リールの保護カバーにも本発明を適用できる。
【００２０】
【発明の効果】
本発明によれば、釣り用リールを部分的に保護しているだけであるので、カバーの着脱は容易でありかつ釣り用リールの意匠性も損なわれにくい。しかも、弾性体製であるので、面ファスナーなどの特別な係止手段を設けなくても弾性だけを利用して突出部に装着することができる。
【図面の簡単な説明】
【図１】本発明の一実施形態を装着したスピニングリールの側面図。
【図２】他の実施形態の図１に相当する図。
【符号の説明】
２  リール本体
２ａ  リールボディ
３  ロータ
２０，２５，４０  保護カバー
２０ａ，２５ａ  棒状部材
【図１】
0004345900.tif 000002
【図２】
0004345900.tif 000003